(57)【要約】  昇降路に沿って設けられた一対のガイドレールに案内されるガイド装置と、ロープ掛け作業時におけるロープのＵ字部が下方から掛けられるホイール、ホイールを支持し水平面に沿った方向に延びるホイール中心軸、ホイール中心軸を介してホイールを支持するホイール支持部およびホイール中心軸が一対のガイドレールが対向する方向に対して垂直方向に延びる垂直位置と垂直方向に対して交差する方向に延びる傾斜位置との間で変位するようにホイール支持部を回動可能に支持する回動支持部を有し、ガイド装置に設けられるホイール装置とを備えている。
2017183189.tif 000002
【特許請求の範囲】
【請求項１】
昇降路に沿って設けられた一対のガイドレールに案内されるガイド装置と、
ロープ掛け作業時におけるロープのＵ字部が下方から掛けられるホイール、前記ホイールを支持し水平面に沿った方向に延びるホイール中心軸、前記ホイール中心軸を介して前記ホイールを支持するホイール支持部および前記ホイール中心軸が一対の前記ガイドレールが対向する方向に対して垂直方向に延びる垂直位置と前記垂直方向に対して交差する方向に延びる傾斜位置との間で変位するように前記ホイール支持部を回動可能に支持する回動支持部を有し、前記ガイド装置に設けられるホイール装置と
を備えているエレベータロープ案内装置。
【請求項２】
前記ホイール支持部の回動範囲を制限する回動制限部をさらに備えている請求項１に記載のエレベータロープ案内装置。
【請求項３】
前記ガイド装置は、一対の前記ガイドレールのそれぞれに案内される一対のガイド部と、一対の前記ガイド部に渡って設けられ、前記ホイール装置を支持する主梁とを有し、
前記主梁は、既に架設されたロープである既架設ロープに対して高さ方向に重ならないように、一対の前記ガイドレールが対向する領域に対して前記垂直方向にずれて配置されている請求項１または請求項２に記載のエレベータロープ案内装置。
【請求項４】
前記ホイールは、前記ホイール中心軸を中心に回転可能となっている請求項１から請求項３までの何れか一項に記載のエレベータロープ案内装置。
【請求項５】
前記ガイド装置と前記ホイール装置とに渡って設けられ、前記ホイール中心軸の位置が前記垂直位置である場合に前記回動支持部の回動を規制する回動規制部をさらに備えている請求項１から請求項４までの何れか一項に記載のエレベータロープ案内装置。
【請求項６】
前記ガイド装置は、一対の前記ガイドレールのそれぞれに案内される一対のガイド部を有し、
それぞれの前記ガイド部は、前記ガイドレールを幅方向に挟む一対のローラを含む複数のローラ装置を有し、
前記ガイド部における複数の前記ローラ装置は、前記ガイドレールの長手方向に離れて設けられる請求項１から請求項５までの何れか一項に記載のエレベータロープ案内装置。
【請求項７】
前記ガイド装置は、一対の前記ガイドレールのそれぞれに案内される一対のガイド部を有し、
それぞれの前記ガイド部は、前記ガイドレールを転動するローラと、前記ガイドレールを転動する前記ローラに付着した異物を除去する異物除去部を有している請求項１から請求項６までの何れか一項に記載のエレベータロープ案内装置。
【請求項８】
前記ガイド装置は、一対の前記ガイドレールのそれぞれに案内される一対のガイド部と、一対の前記ガイド部に渡って設けられる主梁とを有し、
前記主梁は、一対の前記ガイド部の間の寸法が変化するように伸縮可能となっている請求項１から請求項７までの何れか一項に記載のエレベータロープ案内装置。
【請求項９】
前記ガイド装置は、一対の前記ガイドレールのそれぞれに案内される一対のガイド部を有し、
それぞれの前記ガイド部は、磁石を有し、前記磁石の磁力によって前記ガイドレールに吸引される請求項１から請求項８までの何れか一項に記載のエレベータロープ案内装置。
【請求項１０】
前記ホイールに掛けられた前記ロープのＵ字部が前記ホイールから離れることを規制するロープカバーをさらに備えている請求項１から請求項９までの何れか一項に記載のエレベータロープ案内装置。
【請求項１１】
前記ガイド装置の下方に設けられる保護カバーをさらに備え、
前記保護カバーは、前記保護カバーが仮置面に載せられた場合に、前記ガイド装置を支持する請求項１から請求項１０までの何れか一項に記載のエレベータロープ案内装置。
【請求項１２】
上方から視た場合に前記ホイールを径方向に挟むように設けられる一対の発光装置をさらに備えている請求項１から請求項１１までの何れか一項に記載のエレベータロープ案内装置。
【発明の詳細な説明】
【技術分野】
【０００１】
この発明は、ロープ掛け作業時に用いられるエレベータロープ案内装置に関する。
【背景技術】
【０００２】
従来、昇降路に沿って設けられた一対のガイドレールに案内されるガイド装置と、ガイド装置に設けられ、ロープ掛け作業時におけるロープのＵ字部が下方から掛けられるホイールとを備え、ホイールは、一対のガイドレールが対向する方向に対して垂直な方向であって水平面に沿った方向に延びる中心軸を中心に回転可能となるようにガイド装置に設けられているエレベータロープ案内装置が知られている（例えば、特許文献１参照）。
【先行技術文献】
【特許文献】
【０００３】
【特許文献１】特開２０００−３４４４４０号公報
【発明の概要】
【発明が解決しようとする課題】
【０００４】
しかしながら、ホイールに下方からＵ字部が掛けられている状態では、ロープにねじれが発生しているか否かを作業者が把握することができないので、作業者はロープのねじれを解消した状態でホイールからロープのＵ字部を取り外すことができないという問題点があった。【０００５】
この発明は、ホールに下方からＵ字部が掛けられている状態でロープにねじれが発生しているか否かを作業者が把握することができるエレベータロープ案内装置を提供するものである。
【課題を解決するための手段】
【０００６】
この発明に係るエレベータロープ案内装置は、昇降路に沿って設けられた一対のガイドレールに案内されるガイド装置と、ロープ掛け作業時におけるロープのＵ字部が下方から掛けられるホイール、ホイールを支持し水平面に沿った方向に延びるホイール中心軸、ホイール中心軸を介してホイールを支持するホイール支持部およびホイール中心軸が一対のガイドレールが対向する方向に対して垂直方向に延びる垂直位置と垂直方向に対して交差する方向に延びる傾斜位置との間で変位するようにホイール支持部を回動可能に支持する回動支持部を有し、ガイド装置に設けられるホイール装置とを備えている。
【発明の効果】
【０００７】
この発明に係るエレベータロープ案内装置によれば、ホイール中心軸が垂直位置と傾斜位置との間で変位するので、ホールに下方からＵ字部が掛けられている状態でロープにねじれが発生しているか否かを作業者が把握することができる。これにより、作業者はロープのねじれを解消した状態でホイールからロープのＵ字部を取り外すことができる。
【図面の簡単な説明】
【０００８】
【図１】この発明の実施の形態１に係るエレベータロープ案内装置を示す正面図である。
【図２】図１のエレベータロープ案内装置を示す平面図である。
【図３】図１のＩＩＩ−ＩＩＩ線に沿った矢視断面図である。
【図４】図２のホイール中心軸が変位した状態を示す図である。
【図５】図４のＶ−Ｖ線に沿った矢視断面図である。
【図６】図３のプレートが変位した状態を示す図である。
【図７】図１のエレベータロープ案内装置を用いてロープ掛け作業を行う様子を示す図である。
【発明を実施するための形態】
【０００９】
実施の形態１．
図１はこの発明の実施の形態１に係るエレベータロープ案内装置を示す正面図、図２は図１のエレベータロープ案内装置を示す平面図、図３は図１のＩＩＩ−ＩＩＩ線に沿った矢視断面図である。この発明の実施の形態１に係るエレベータロープ案内装置１は、２：１ローピングエレベータにおけるロープ２を架設するロープ掛け作業時に用いられる。この例では、ロープ２をつり合い重りの吊車に架設するロープ掛け作業時に用いられるエレベータロープ案内装置１について説明する。
【００１０】
エレベータロープ案内装置１は、昇降路３に沿って設けられた一対のガイドレール４に案内されるガイド装置１０１と、ガイド装置１０１に設けられるホイール装置１０２とを備えている。
【００１１】
ガイド装置１０１は、一対のガイドレール４のそれぞれに案内される一対のガイド部１０３と、一対のガイド部１０３に渡って設けられ、ホイール装置１０２を支持する主梁１０４とを有している。
【００１２】
それぞれのガイド部１０３は、ガイドレール４を幅方向に挟み、ガイドレール４の幅方向面を転動する一対のローラ１０５を含む複数のローラ装置１０６と、ローラ１０５の外周面に接触して設けられ、ガイドレール４を転動するローラ１０５に付着した異物を除去する異物除去部１０７と、主梁１０４に支持され、ローラ装置１０６および異物除去部１０７を支持するガイド支持部１０８とを有している。ローラ装置１０６は、ガイドレール４の頂面を転動するローラをさらに含んでいる。この例では、それぞれのガイド部１０３は、２個のローラ装置１０６を有している。ガイド部１０３における２個のローラ装置１０６は、ガイドレール４の長手方向に離れて配置されている。
【００１３】
また、それぞれのガイド部１０３は、図示しない磁石を有している。それぞれのガイド部１０３は、磁石の磁力によって、鉄から構成されているガイドレール４に吸引される。
【００１４】
主梁１０４は、既に架設されたロープである既架設ロープに対して高さ方向に重ならないように、一対のガイドレール４が対向する領域に対して、水平方向であって、一対のガイドレール４が対向する方向に対する垂直方向にずれて配置されている。
【００１５】
主梁１０４は、それぞれのガイド部１０３に接続された一対のガイド側梁部１０９と、一対のガイド側梁部１０９に渡って設けられたホイール側梁部１１０と、ガイド側梁部１０９とホイール側梁部１１０とに渡って設けられた複数のボルト１１１と、それぞれのボルト１１１に嵌められた複数のナット１１２とを有している。一対のガイド側梁部１０９およびホイール側梁部１１０は、それぞれの長手方向が互いに同一方向となるように配置されている。一対のガイド部１０３が一対のガイドレール４のそれぞれに案内される場合に、ガイド側梁部１０９およびホイール側梁部１１０の長手方向は、一対のガイドレール４が互いに対向する方向と同一方向となる。
【００１６】
一対のガイド側梁部１０９の中の一方のガイド側梁部１０９には、ガイド側梁部１０９の長手方向に延びた長穴１１３が形成されている。ボルト１１１は、長穴１１３に挿入されている。ボルト１１１とナット１１２とがガイド側梁部１０９およびホイール側梁部１１０を固定することによって、ホイール側梁部１１０に対するガイド側梁部１０９のスライドが規制される。一方、ボルト１１１とナット１１２とによるガイド側梁部１０９およびホイール側梁部１１０の固定が解除されることによって、ホイール側梁部１１０に対してガイド側梁部１０９がスライド可能となる。
【００１７】
一対のガイド側梁部１０９の中の他方のガイド側梁部１０９には、複数の丸穴１１４が形成されている。丸穴１１４は、ガイド側梁部１０９の長手方向に間隔をあけて配置されている。ボルト１１１は、丸穴１１４に挿入されている。ボルト１１１が挿入される丸穴１１４を変えることによって、ホイール側梁部１１０に対するガイド側梁部１０９の位置が変わる。なお、一対のガイド側梁部１０９の中の他方のガイド側梁部１０９には、丸穴１１４ではなく、長穴１１３が形成されてもよい。この場合、ボルト１１１とナット１１２とによるガイド側梁部１０９およびホイール側梁部１１０の固定が解除されることによって、ホイール側梁部１１０に対してガイド側梁部１０９がスライド可能となる。
【００１８】
ホイール側梁部１１０に対する一対のガイド側梁部１０９の位置を変化させることによって、主梁１０４は、一対のガイド部１０３の間の寸法が変化するように伸縮する。
【００１９】
ホイール装置１０２は、ロープ掛け作業時におけるロープ２のＵ字部２１が下方から掛けられるホイール１１５と、ホイール１１５を支持し、水平面に沿った方向に延びるホイール中心軸１１６と、ホイール中心軸１１６を介してホイール１１５を支持するホイール支持部１１７と、ホイール側梁部１１０に設けられ、ホイール支持部１１７を回動可能に支持する回動支持部１１８とを有している。
【００２０】
ホイール支持部１１７は、互いに対向する一対のプレート１１９を有している。ホイール中心軸１１６は、一対のプレート１１９に渡って配置されている。
【００２１】
回動支持部１１８は、一対のガイドレール４が互いに対向する方向に対する垂直方向に延びる垂直位置と、一対のガイドレール４が互いに対向する方向に対する垂直方向に対して交差する傾斜位置との間でホイール中心軸１１６が変位するようにホイール支持部１１７を回動可能に支持する。
【００２２】
図４は図２のホイール中心軸１１６が変位した状態を示す図、図５は図４のＶ−Ｖ線に沿った矢視断面図である。ホイール支持部１１７の下端部は、ホイール支持部１１７が回動することによって、主梁１０４のホイール側梁部１１０に当たるようになっている。ホイール支持部１１７の下端部が主梁１０４に当たることによって、ホイール支持部１１７の回動範囲に制限される。主梁１０４は、ホイール支持部１１７の回動範囲を制限する回動制限部となっている。
【００２３】
図３に示すように、エレベータロープ案内装置１は、ガイド装置１０１とホイール装置１０２とに渡って設けられる回動規制部１２０を備えている。回動規制部１２０は、ピン形状となっている。回動規制部１２０は、ホイール中心軸１１６の位置が垂直位置である場合に、回動規制部１２０がガイド装置１０１のホイール側梁部１１０とホイール装置１０２のホイール支持部１１７とに渡って設けられることができる。回動規制部１２０がホイール側梁部１１０とホイール支持部１１７とに渡って設けられている場合に、回動支持部１１８の回動が規制される。これにより、ホイール中心軸１１６の位置が垂直位置に維持される。ホイール１１５は、ホイール中心軸１１６を中心に回転可能となっている。
【００２４】
図１に示すように、エレベータロープ案内装置１は、ホイール１１５に設けられホイール１１５に掛けられたロープ２のＵ字部２１がホイール１１５から下方に離れることを規制するロープカバー１２１と、ガイド装置１０１の下方に設けられる保護カバー１２２と、上方から視た場合にホイール１１５を径方向に挟むように設けられる一対の発光装置１２３とをさらに備えている。
【００２５】
保護カバー１２２は、ガイド装置１０１が落下し、エレベータロープ案内装置１の下方に設定された部材にエレベータロープ案内装置１が衝突する場合に、ガイド装置１０１およびホイール装置１０２に衝撃が伝えられることを抑制する。また、保護カバー１２２は、保護カバー１２２が仮置面に載せられた場合に、ガイド装置１０１を支持する。
【００２６】
図３に示すように、ホイール装置１０２は、一対のプレート１１９の中の一方のプレートとホイール側梁部１１０とに渡って設けられた蝶番１２４と、蝶番１２４よりも上方であって、一対のプレート１１９の中の一方のプレートとホイール側梁部１１０とに渡って設けられたボルト１２５と、ボルト１２５に嵌められるナット１２６とをさらに有している。
【００２７】
図６は図３のプレートが変位した状態を示す図である。一方のプレート１１９は、蝶番１２４を中心に回動して、ホイール中心軸１１６に取り付けられる取付位置と、ホイール中心軸１１６から離れる解放位置との間で変位する。一方のプレート１１９の位置が取付位置である場合に、一方のプレート１１９は、他方のプレート１１９とともにホイール中心軸１１６を支持する。一方のプレート１１９の位置が解放位置である場合に、ロープ２のＵ字部２１は、ホイール１１５が取外し可能となる。ロープカバー１２１は、一方のプレート１１９とともに変位する。
【００２８】
図３に示すように、ボルト１２５は、一方のプレート１１９の位置が取付位置である場合に、一対のプレート１１９の中の一方のプレート１１９とホイール側梁部１１０とに渡って配置可能となる。ボルト１２５にナット１２６が嵌められることによって、一方のプレート１１９の位置が取付位置に維持される。
【００２９】
次に、エレベータロープ案内装置１を用いてロープ掛け作業を行う手順について説明する。図７は図１のエレベータロープ案内装置１を用いてロープ掛け作業を行う様子を示す図である。まず、エレベータロープ案内装置１を昇降路３の上部に配置し、かご５の上部に乗った作業者は、ロープ２のＵ字部２１をホイール１１５に下方から掛け、さらに、ロープカバー１２１をホイール１１５に取り付ける。
【００３０】
その後、ボルト１１１とナット１１２とによるガイド側梁部１０９およびホイール側梁部１１０の固定を解除し、主梁１０４を伸縮させて、ガイド部１０３をガイドレール４に接触させる。このとき、丸穴１１４が形成されているガイド側梁部１０９は、隣り合う丸穴１１４の寸法に対応して、ホイール側梁部１１０に対して大きくスライドさせる。長穴１１３が形成されているガイド側梁部１０９は、主梁１０４の長さの微調整をするように、ホイール側梁部１１０に対してスライドさせる。
【００３１】
その後、巻ドラム６からロープ２を送り出し、エレベータロープ案内装置１をガイドレール４に沿って垂下させる。このとき、かご５の上部に乗った作業者は、発光装置１２３が放つ光を目視して、エレベータロープ案内装置１の高さ方向の位置を確認しながら、巻ドラム６からロープ２を送り出す。
【００３２】
エレベータロープ案内装置１が垂下する際に、ローラ１０５に付着した異物は、異物除去部１０７によってローラ１０５から取り除かれる。したがって、エレベータロープ案内装置１は、スムーズに垂下される。
【００３３】
エレベータロープ案内装置１が昇降路３における目的位置に達すると、かご５の上部に乗った作業者は、巻ドラム６からのロープ２の送り出しを停止する。その後、ピットに設置された足場７に乗った作業者は、回動規制部１２０を取り外す。これにより、ロープ２にねじれが発生している場合には、ホイール中心軸１１６が垂直位置から傾斜位置に変位するようにホイール支持部１１７が回動支持部１１８を中心に回動する。ホイール１１５は、ホイール支持部１１７の回動にともなって回動する。ホイール支持部１１７の回動は、ホイール支持部１１７の下端部が主梁１０４に当たることによって制限される。
【００３４】
かご５の上部に乗った作業者は、ロープ２の端部であるロープシャックル２２を、ロープ２のねじれが解消する方向に回転させる。ロープ２のねじれが解消されることによって、ホイール中心軸１１６が傾斜位置から垂直位置に変位するようにホイール支持部１１７が回動支持部１１８を中心に回動し、ホイール１１５は、元の位置に戻る。このとき、かご５の上部に乗った作業者は、発光装置１２３が放つ光を目視することによって、ホイール１１５が元の位置に戻ったことを確認する。
【００３５】
ロープ２のねじれが解消された後、足場７に乗った作業者は、ナット１２６をボルト１２５から取り外し、ボルト１２５をプレート１１９から取り外して、プレート１１９を取付位置から解放位置に変位させる。この時、ロープカバー１２１は、プレート１１９とともにホイール１１５から取り外される。その後、作業者は、ロープ２をホイール１１５から取り外す。
【００３６】
その後、ホイール１１５から取り外されたロープ２をつり合い重り８の吊車８１に掛ける。全てのロープ２が吊車８１に掛けられるまで、上述の手順を繰り返す。
【００３７】
以上説明したように、この発明の実施の形態１に係るエレベータロープ案内装置１によれば、昇降路３に沿って設けられた一対のガイドレール４に案内されるガイド装置１０１と、ロープ掛け作業時におけるロープ２のＵ字部２１が下方から掛けられるホイール１１５、ホイール１１５を支持し水平面に沿った方向に延びるホイール中心軸１１６、ホイール中心軸１１６を介してホイール１１５を支持するホイール支持部１１７およびホイール中心軸１１６が一対のガイドレール４が対向する方向に対する垂直方向に延びる垂直位置と垂直方向に対して交差する方向に延びる傾斜位置との間で変位するようにホイール支持部１１７を回動可能に支持する回動支持部１１８を有し、ガイド装置１０１に設けられるホイール装置１０２とを備えているので、ホイール１１５に下方からＵ字部２１が掛けられている状態でロープ２にねじれが発生しているか否かを作業者が把握することができる。これにより、作業者はロープ２のねじれを解消した状態でホイール１１５からロープ２のＵ字部２１を取り外すことができる。
【００３８】
また、このエレベータロープ案内装置１は、ホイール支持部１１７の回動範囲を制限する回動制限部を備えているので、ホイール１１５が１周以上回転することを防止して、ロープ２が絡まることを防止することができる。
【００３９】
また、ガイド装置１０１は、一対のガイドレール４のそれぞれに案内される一対のガイド部１０３と、一対のガイド部１０３に渡って設けられ、ホイール装置１０２を支持する主梁１０４とを有し、主梁１０４は、既に架設されたロープ２である既架設ロープに対して高さ方向に重ならないように、一対のガイドレール４が対向する領域に対して垂直方向にずれて配置されているので、ガイド装置１０１がガイドレール４に沿って垂下する場合に、ガイド装置１０１が既架設ロープに当たることを防止することができる。
【００４０】
また、ホイール１１５は、ホイール中心軸１１６を中心に回転可能となっているので、エレベータロープ案内装置１が垂下する場合に、ホイール１１５とロープ２との間に滑り摩擦が発生することを防止して、ロープ２の摩耗を防止することができる。
【００４１】
また、このエレベータロープ案内装置１は、ガイド装置１０１とホイール装置１０２とに渡って設けられ、ホイール中心軸１１６の位置が垂直位置である場合に回動支持部１１８の回動を規制する回動規制部１２０を備えているので、エレベータロープ案内装置１を垂下させる時にホイール中心軸１１６が垂直位置から傾斜位置に変位することを防止することができる。
【００４２】
また、ガイド装置１０１は、一対のガイドレール４のそれぞれに案内される一対のガイド部１０３を有し、それぞれのガイド部１０３は、ガイドレール４を幅方向に挟む一対のローラ１０５を含む複数のローラ装置１０６を有し、ガイド部１０３における複数のローラ装置１０６は、ガイドレール４の長手方向に離れて設けられるので、ガイド装置１０１は、安定してガイドレール４に沿って垂下することができる。特に、主梁１０４が、既に架設されたロープ２である既架設ロープに対して高さ方向に重ならないように、一対のガイドレール４が対向する領域に対して垂直方向にずれて配置されている場合であっても、ガイド装置１０１は、安定してガイドレール４に沿って垂下することができる。
【００４３】
また、ガイド装置１０１は、一対のガイドレール４のそれぞれに案内される一対のガイド部１０３を有し、それぞれのガイド部１０３は、ガイドレール４を転動するローラ１０５と、ガイドレール４を転動するローラ１０５に付着した異物を除去する異物除去部１０７を有しているので、ローラ１０５はスムーズにガイドレール４を転動することができる。
【００４４】
また、ガイド装置１０１は、一対のガイドレール４のそれぞれに案内される一対のガイド部１０３と、一対のガイド部１０３に渡って設けられる主梁１０４とを有し、主梁１０４は、一対のガイド部１０３の間の寸法が変化するように伸縮可能となっているので、一対のガイドレール４の間の寸法が異なる複数種類のエレベータ装置であっても、同一のエレベータロープ案内装置１を用いることができる。
【００４５】
また、ガイド装置１０１は、一対のガイドレール４のそれぞれに案内される一対のガイド部１０３を有し、それぞれのガイド部１０３は、磁石を有し、磁石の磁力によってガイドレール４に吸引されるので、ガイド部１０３を容易にガイドレール４に接触させることができる。
【００４６】
また、このエレベータロープ案内装置１は、ホイール１１５に掛けられたロープ２のＵ字部２１がホイール１１５から離れることを規制するロープカバー１２１を備えているので、エレベータロープ案内装置１をガイドレール４に沿って垂下させる時に、ホイール１１５からロープ２のＵ字部２１が外れることを防止することができる。
【００４７】
また、エレベータロープ案内装置１は、ガイド装置１０１の下方に設けられる保護カバー１２２を備え、保護カバー１２２は、保護カバー１２２が仮置面に載せられた場合に、ガイド装置１０１を支持するので、ガイド装置１０１が落下してガイド装置１０１よりも下方にある部材にエレベータロープ案内装置１が衝突する場合に、ガイド装置１０１に衝撃が伝わることを抑制することができ、また、エレベータロープ案内装置１を使用していない場合に、エレベータロープ案内装置１を自立させることができる。
【００４８】
また、エレベータロープ案内装置１は、上方から視た場合にホイール１１５を径方向に挟むように設けられる一対の発光装置１２３を備えているので、エレベータロープ案内装置１が昇降路３における高さ方向の位置を作業者が把握することができ、また、ホイール中心軸１１６が垂直位置および傾斜位置のどちらにあるかを作業者が容易に確認することができる。
【００４９】
なお、上記実施の形態１では、ロープ２をつり合い重りの吊車に架設するロープ掛け作業時に用いられるエレベータロープ案内装置１について説明したが、その他の吊車に架設するロープ掛け作業時に用いられるエレベータロープ案内装置であってもよい。
【図１】
2017183189.tif 000003
【図２】
2017183189.tif 000004
【図３】
2017183189.tif 000005
【図４】
2017183189.tif 000006
【図５】
2017183189.tif 000007
【図６】
2017183189.tif 000008
【図７】
2017183189.tif 000009
【国際調査報告】
2017183189.tif 000010
2017183189.tif 000011
2017183189.tif 000012
2017183189.tif 000013